(57)【要約】【課題】画像形成装置が搬送読取を実行しているときに画像形成装置に載置読取を実行させたいユーザーの利便性を向上させる。【解決手段】画像形成装置は、画像読取部と、原稿搬送ユニットと、制御部と、操作パネルと、を備え、制御部は、搬送読取の実行中、ユーザーが原稿搬送ユニットを開けようとしていると判断したとき、実行中の搬送読取である対象搬送読取を中断させるとともに、載置読取の強制実行指示の受け付けを操作パネルに行わせ、操作パネルが強制実行指示を受け付けると、載置読取を強制的に実行させ、強制的に実行させた載置読取の完了後、対象搬送読取を再開させる。【選択図】図５
2019087881.tif 000002
【特許請求の範囲】
【請求項１】
搬送読取を行うときには第１コンタクトガラスに搬送されてきた原稿を読み取り、載置読取を行うときには第２コンタクトガラスに載置された原稿を読み取る画像読取部と、
前記第１コンタクトガラスおよび前記第２コンタクトガラスに対して開閉するよう支持され、前記第１コンタクトガラスに原稿を搬送する原稿搬送ユニットと、
前記画像読取部が読み取った原稿の画像データを含む出力用ファイルを生成し、前記出力用ファイルに基づきジョブを実行する制御部と、
前記ジョブに関するジョブ設定を受け付けるとともに、前記ジョブの実行指示を受け付ける操作パネルと、を備え、
前記制御部は、前記搬送読取の実行中、ユーザーが前記原稿搬送ユニットを開けようとしているか否かの判断を行い、ユーザーが前記原稿搬送ユニットを開けようとしていると判断したとき、実行中の前記搬送読取である対象搬送読取を中断させるとともに、前記載置読取を強制的に実行する旨の指示である強制実行指示の受け付けを前記操作パネルに行わせ、前記操作パネルが前記強制実行指示を受け付けると、前記画像読取部に前記載置読取を強制的に実行させ、強制的に実行させた前記載置読取である強制載置読取の完了後、前記対象搬送読取を前記画像読取部に再開させることを特徴とする画像形成装置。
【請求項２】
前記操作パネルは、前記強制実行指示を受け付けるとき、割り込みジョブを実行するか否かを受け付け、
前記制御部は、前記割り込みジョブを実行する旨を前記操作パネルが受け付けた場合、前記対象搬送読取で得られた原稿の画像データを含む前記出力用ファイルとは別個に、前記強制載置読取で得られた原稿の画像データを含む前記出力用ファイルを生成することを特徴とする請求項１に記載の画像形成装置。
【請求項３】
前記操作パネルは、前記強制実行指示を受け付けるとき、前記強制載置読取で得られた原稿の画像データをユーザー指定のページに挿入するか否かを受け付け、
前記制御部は、前記強制載置読取で得られた原稿の画像データを前記ユーザー指定のページに挿入する旨を前記操作パネルが受け付けた場合、前記対象搬送読取で得られた原稿の画像データを含む前記出力用ファイルのうち前記ユーザー指定のページに、前記強制載置読取で得られた原稿の画像データを挿入することを特徴とする請求項１または２に記載の画像形成装置。
【請求項４】
前記操作パネルは、前記強制実行指示を受け付けるとき、前記強制載置読取で得られた原稿の画像データを表紙の画像データとして追加するか否かを受け付け、
前記制御部は、前記強制載置読取で得られた原稿の画像データを前記表紙の画像データとして追加する旨を前記操作パネルが受け付けた場合、前記対象搬送読取で得られた原稿の画像データを含む前記出力用ファイルのうち先頭ページおよび最終ページの少なくとも一方に、前記強制載置読取で得られた原稿の画像データを挿入することを特徴とする請求項１〜３のいずれか１項に記載の画像形成装置。
【請求項５】
前記操作パネルは、前記強制実行指示を受け付けるとき、設定切替を行うか否かを受け付け、
前記制御部は、前記設定切替を行う旨を前記操作パネルが受け付けた場合、前記操作パネルに強制載置読取用設定の受け付けを行わせるとともに、前記画像読取部に前記強制載置読取を実行させるときには現在の設定内容を前記強制載置読取用設定で設定された設定内容に切り替え、前記対象搬送読取で得られた原稿の画像データを含む前記出力用ファイルに、前記強制載置読取で得られた原稿の画像データを含めることを特徴とする請求項１〜４のいずれか１項に記載の画像形成装置。
【請求項６】
前記原稿搬送ユニットは、ユーザーが前記原稿搬送ユニットを開けるときに把持する把持部を有し、
前記把持部が把持されているときと把持されていないときとで出力値を変化させる把持検知部を備え、
前記制御部は、前記搬送読取の実行中に前記把持検知部の出力値に基づき前記把持部が把持されたことを検知したとき、ユーザーが前記原稿搬送ユニットを開けようとしていると判断することを特徴とする請求項１〜５のいずれか１項に記載の画像形成装置。
【請求項７】
前記搬送読取の実行中に前記原稿搬送ユニットの開閉をロックするロック機構を備え、
前記制御部は、前記搬送読取の実行中に前記把持検知部の出力値に基づき前記把持部が把持されたことを検知したとき、前記原稿搬送ユニットによる次原稿の搬送を禁止させ、前記画像読取部が現在搬送中の原稿を読み取った後、前記ロック機構によるロックを解除することを特徴とする請求項６に記載の画像形成装置。
【請求項８】
前記第１コンタクトガラスおよび前記第２コンタクトガラスに対する前記原稿搬送ユニットの傾斜角度が所定角度になったことを検知するための角度検知部を備え、
前記操作パネルは、前記強制実行指示を受け付けるとき、前記強制載置読取に関する設定を受け付けるための受付画面として、第１受付画面および第２受付画面を選択的に表示し、
前記制御部は、前記対象搬送読取を中断させてから、前記傾斜角度が前記所定角度になるまでの時間である開時間が予め定められた第１閾値時間以上であるか否かを判断し、前記開時間が前記第１閾値時間以上である場合、前記第１受付画面を最初に前記操作パネルに表示させる一方、前記開時間が前記第１閾値時間以上ではない場合、前記第２受付画面を最初に前記操作パネルに表示させることを特徴とする請求項１〜７のいずれか１項に記載の画像形成装置。
【請求項９】
前記第１コンタクトガラスおよび前記第２コンタクトガラスに対する前記原稿搬送ユニットの傾斜角度が第１所定角度になったことを検知するための第１角度検知部と、
前記傾斜角度が前記第１所定角度よりも大きい第２所定角度になったことを検知するための第２角度検知部と、を備え、
前記操作パネルは、前記強制実行指示を受け付けるとき、前記強制載置読取に関する設定を受け付けるための受付画面として、第１受付画面および第２受付画面を選択的に表示し、
前記制御部は、前記対象搬送読取を中断させて以降、前記傾斜角度が前記第１所定角度になってから前記傾斜角度が前記第２所定角度になることなく予め定められた第２閾値時間が経過すると、前記第１受付画面を最初に前記操作パネルに表示させる一方、前記傾斜角度が前記第１所定角度になってから前記第２閾値時間が経過する前に前記傾斜角度が前記第２所定角度になると、前記第２受付画面を最初に前記操作パネルに表示させることを特徴とする請求項１〜７のいずれか１項に記載の画像形成装置。
【発明の詳細な説明】
【技術分野】
【０００１】
本発明は、原稿の読み取りを伴うジョブの実行が可能な画像形成装置に関する。
【背景技術】
【０００２】
従来、原稿の読み取りを伴うジョブの実行が可能な画像形成装置が知られている。このような画像形成装置は、たとえば、特許文献１に開示されている。特許文献１では、画像形成装置にて原稿の読み取りを伴うジョブが実行されているとき、他のジョブを割り込みで画像形成装置に実行させることができる。
【先行技術文献】
【特許文献】
【０００３】
【特許文献１】特開２００２−３４４６７８号公報
【発明の概要】
【発明が解決しようとする課題】
【０００４】
画像形成装置には、原稿搬送ユニットを搭載したものがある。原稿搬送ユニットを搭載する画像形成装置は、載置読取用コンタクトガラスおよび搬送読取用コンタクトガラスを備える。載置読取では、ユーザーによって載置読取用コンタクトガラス上に原稿が載置され、載置読取用コンタクトガラス上に載置された原稿の読み取りが行われる。
【０００５】
搬送読取では、ユーザーによって原稿搬送ユニットに原稿がセットされる。原稿搬送ユニットは、セットされた原稿を搬送読取用コンタクトガラス上に搬送する。そして、画像形成装置は、搬送読取用コンタクトガラス上に搬送されてきた原稿を読み取る。
【０００６】
ここで、通常では、画像形成装置が搬送読取を実行しているとき、画像形成装置に載置読取を割り込みで実行させることはできない（画像形成装置に対して載置読取の実行指示を行うことができない）。したがって、画像形成装置に載置読取を急ぎで実行させたくても、画像形成装置が搬送読取を実行していれば、現在実行中の搬送読取が完了するまで待たなければならない。このため、ユーザーにとっては利便性が悪い。
【０００７】
本発明は、上記課題を解決するためになされたものであり、画像形成装置が搬送読取を実行しているときに画像形成装置に載置読取を実行させたいユーザーの利便性を向上させることが可能な画像形成装置を提供することを目的とする。
【課題を解決するための手段】
【０００８】
上記目的を達成するため、本発明の一局面による画像形成装置は、搬送読取を行うときには第１コンタクトガラスに搬送されてきた原稿を読み取り、載置読取を行うときには第２コンタクトガラスに載置された原稿を読み取る画像読取部と、第１コンタクトガラスおよび第２コンタクトガラスに対して開閉するよう支持され、第１コンタクトガラスに原稿を搬送する原稿搬送ユニットと、画像読取部が読み取った原稿の画像データを含む出力用ファイルを生成し、出力用ファイルに基づきジョブを実行する制御部と、ジョブに関するジョブ設定を受け付けるとともに、ジョブの実行指示を受け付ける操作パネルと、を備える。制御部は、搬送読取の実行中、ユーザーが原稿搬送ユニットを開けようとしているか否かの判断を行い、ユーザーが原稿搬送ユニットを開けようとしていると判断したとき、実行中の搬送読取である対象搬送読取を中断させるとともに、載置読取を強制的に実行する旨の指示である強制実行指示の受け付けを操作パネルに行わせ、操作パネルが強制実行指示を受け付けると、画像読取部に載置読取を強制的に実行させ、強制的に実行させた載置読取である強制載置読取の完了後、対象搬送読取を画像読取部に再開させる。
【０００９】
本発明の構成では、画像形成装置が搬送読取を実行しているときであっても、画像形成装置に載置読取を実行させるため（第２コンタクトガラスに原稿を載置するため）にユーザーが原稿搬送ユニットを開けようとすると、現在実行中の搬送読取（対象搬送読取）が中断され、載置読取の実行指示（強制実行指示）の受け付けが操作パネルにて行われる。そして、操作パネルに対して強制実行指示を行った場合には画像形成装置にて載置読取が強制的に実行される。すなわち、画像形成装置が搬送読取を実行しているときであっても当該搬送読取の完了を待たずに画像形成装置に載置読取を実行させることができる。これにより、ユーザーの利便性が向上する。
【００１０】
また、この構成では、画像形成装置が搬送読取を実行しているとき、ユーザーが原稿搬送ユニットを開けようとすると、現在実行中の搬送読取が自動的に中断され、載置読取の実行指示の受け付けが操作パネルにて行われる（画像形成装置に載置読取を実行させることができるようになる）。これにより、ユーザーからすると、特別な操作を行う必要がない（原稿搬送ユニットを開けようとするだけでよい）ので、利便性が良い。
【発明の効果】
【００１１】
本発明の構成では、画像形成装置が搬送読取を実行しているときに画像形成装置に載置読取を実行させたいユーザーの利便性を向上させることができる。
【図面の簡単な説明】
【００１２】
【図１】本発明の一実施形態による複合機の全体構成を示す概略図
【図２】本発明の一実施形態による複合機の画像読取部の構成を示す図
【図３】本発明の一実施形態による複合機の原稿搬送ユニットが閉状態から開状態に変化するときの図
【図４】本発明の一実施形態による複合機の構成を示すブロック図
【図５】本発明の一実施形態による複合機の制御部が行う処理の流れを示す図
【図６】本発明の一実施形態による複合機の操作パネルが表示する受付画面を示す図
【図７】本発明の一実施形態による複合機の操作パネルが表示する受付画面を示す図
【図８】本発明の一実施形態による複合機の制御部が生成する出力用ファイルについて説明するための図
【図９】本発明の一実施形態による複合機の制御部が生成する出力用ファイルについて説明するための図
【図１０】本発明の一実施形態による複合機の制御部が生成する出力用ファイルについて説明するための図
【発明を実施するための形態】
【００１３】
＜複合機の構成＞
図１に示すように、本実施形態の複合機１００（「画像形成装置」に相当）は、画像読取部１および印刷部２を備える。また、複合機１００には、後処理装置３が設置される。さらに、複合機１００には、操作パネル４が設置される。
【００１４】
画像読取部１は、図２に示すような構成を有する。画像読取部１は、原稿Ｄを読み取って原稿Ｄの画像データを生成する。画像読取部１は、コピージョブなど原稿Ｄの読み取りを伴うジョブの実行時に、搬送読取あるいは載置読取を行う。
【００１５】
搬送読取では、搬送読取用コンタクトガラスＧ１に向けて原稿Ｄが自動搬送され、搬送読取用コンタクトガラスＧ１の上面上を原稿Ｄが通過するとき、画像読取部１による原稿Ｄの読み取りが行われる。載置読取では、載置読取用コンタクトガラスＧ２の上面上に載置された原稿Ｄの読み取りが画像読取部１により行われる。搬送読取用コンタクトガラスＧ１は「第１コンタクトガラス」に相当し、載置読取用コンタクトガラスＧ２は「第２コンタクトガラス」に相当する。
【００１６】
画像読取部１は、光源１１、イメージセンサー１２、ミラー１３およびレンズ１４を含む。これら画像読取部１の各部材は、画像読取部１の筐体１０の内部に収容される。筐体１０の上面には開口が形成される。搬送読取用コンタクトガラスＧ１および載置読取用コンタクトガラスＧ２は、筐体１０の上面の開口に設置される。
【００１７】
また、画像読取部１の筐体１０には、原稿搬送ユニット１０１が設置される。原稿搬送ユニット１０１は、搬送読取用コンタクトガラスＧ１に向けて原稿Ｄを自動搬送する。
【００１８】
原稿搬送ユニット１０１は、図３に示すように、画像読取部１の筐体１０に開閉可能に取り付けられる。これにより、原稿搬送ユニット１０１は、筐体１０の上面（搬送読取用コンタクトガラスＧ１および載置読取用コンタクトガラスＧ２の各上面）に対して開閉する。言い換えると、原稿搬送ユニット１０１は、筐体１０の上面から離れる方向（当該上面を露出させる方向）および筐体１０の上面に近づく方向（当該上面を閉塞する方向）に回動する。
【００１９】
具体的には、筐体１０の本体背面側に回転軸１０ａが設けられる。原稿搬送ユニット１０１は、筐体１０の回転軸１０ａに回動可能（開閉可能）に支持され、筐体１０の回転軸１０ａを支点として回動する。すなわち、原稿搬送ユニット１０１は、本体正面側の部分を自由端とし、本体正面側の部分を上下方向に振るように回動する。
【００２０】
原稿搬送ユニット１０１の開閉を検知するため、画像読取部１の筐体１０には開閉センサー１１１が設けられる。開閉検知センサー１１１は「角度検知部」に相当する。たとえば、開閉センサー１１１は、発光部および受光部を有する光センサーである。開閉センサー１１１は、発光部と受光部との間を上下方向に移動可能なアクチュエーターＡｃを検知対象とする。なお、図示しない付勢部材により、アクチュエーターＡｃは常に上方に向けて付勢される。
【００２１】
原稿搬送ユニット１０１が完全に閉じられているとき（図３の上図参照）、アクチュエーターＡｃは筐体１０の上面よりも上方には突出しない。このとき、開閉センサー１１１の光路がアクチュエーターＡｃによって遮られる。たとえば、開閉センサー１１１の光路が遮られると、開閉センサー１１１の出力値は第１レベル（ＨレベルおよびＬレベルの一方）となる。
【００２２】
原稿搬送ユニット１０１が完全に閉じられた状態から、原稿搬送ユニット１０１を開けていくと、それに伴い、アクチュエーターＡｃが上方に移動する。そして、原稿搬送ユニット１０１の傾斜角度（筐体１０の上面との間の角度）が所定角度になるまで原稿搬送ユニット１０１が開けられると（図３の下図参照）、開閉センサー１１１の光路からアクチュエーターＡｃが外れる。これにより、開閉センサー１１１の出力値が第１レベルから第２レベル（ＨレベルおよびＬレベルの他方）に変化する。
【００２３】
その後、原稿搬送ユニット１０１が完全に開けられると、図示しないが、アクチュエーターＡｃはさらに上方に移動する（開閉センサー１１１の出力値は第２レベルのまま維持される）。なお、原稿搬送ユニット１０１が完全に開けられた状態から、原稿搬送ユニット１０１の傾斜角度が所定角度になるまで原稿搬送ユニット１０１が閉じられると、開閉センサー１１１の出力値が第２レベルから第１レベルに変化する。
【００２４】
原稿搬送ユニット１０１の開閉はユーザーにより手動で行われる。通常では、載置読取を伴うジョブ（コピージョブなど）を複合機１００に実行させるときに、載置読取用コンタクトガラスＧ２上に原稿Ｄを載置するため、ユーザーは原稿搬送ユニット１０１を開閉する開閉作業（原稿搬送ユニット１０１を開けた後、載置読取用コンタクトガラスＧ２上に原稿Ｄを載置してから、原稿搬送ユニット１０１を閉じる作業）を行う。
【００２５】
ユーザーによる開閉作業を考慮し、原稿搬送ユニット１０１には把持部１０１ａが設けられる。特に限定されないが、原稿搬送ユニット１０１の正面側に凹み部が形成され、当該凹み部が原稿搬送ユニット１０１の把持部１０１ａとされる。これにより、ユーザーによる開閉作業では、まず、原稿搬送ユニット１０１の把持部１０１ａが把持され、その後、原稿搬送ユニット１０１が持ち上げられる。すなわち、ユーザーが原稿搬送ユニット１０１を開けようとしているときには、ユーザーによって原稿搬送ユニット１０１の把持部１０１ａが把持されることになる。
【００２６】
ここで、原稿搬送ユニット１０１の把持部１０１ａに対するユーザーの把持を検知するため、原稿搬送ユニット１０１の把持部１０１ａには把持センサー１１２が設けられる。把持センサー１１２は、原稿搬送ユニット１０１の把持部１０１ａをユーザーが把持しているときと把持していないときとで出力値を変化させる。たとえば、静電容量式のタッチセンサー（ユーザーが触れると静電容量値が変化するセンサー）を把持センサー１１２として用いることができる。あるいは、透過型の光センサーを把持センサー１１２として用いることもできる。光センサーを用いる場合には、原稿搬送ユニット１０１の把持部１０１ａをユーザーが把持したときにセンサー光路が遮られるよう光センサーを設置すればよい。
【００２７】
なお、複合機１００が搬送読取を伴うジョブを実行しているとき、ユーザーが原稿搬送ユニット１０１を開けると、ジャムエラーが発生する。このようなジャムエラーの発生を抑制するため、原稿搬送ユニット１０１の開閉をロックするためのロック機構１１３が複合機１００に設置される。
【００２８】
たとえば、ロック機構１１３は、画像読取部１の筐体１０に取り付けられる。ロック機構１１３は、図示しないが、フックなどの第１係合部材を含む。第１係合部材は、ソレノイドなどの駆動源により駆動される。また、原稿搬送ユニット１０１には、第１係合部材と係合する第２係合部材が取り付けられる。
【００２９】
画像読取部１が搬送読取を行っているとき、すなわち、原稿搬送ユニット１０１が完全に閉じられているとき、原稿搬送ユニット１０１の開閉がロック機構１１３によりロックされる（第１係合部材が第２係合部材に係合する）。これにより、ユーザーが原稿搬送ユニット１０１を開けようとしても、原稿搬送ユニット１０１を開けることはできない。
【００３０】
図２に戻り、光源１１は、ＬＥＤ素子（図示せず）を複数含む。複数のＬＥＤ素子は、主走査方向（図２の紙面に対して垂直な方向）にライン状に配列される。搬送読取では、光源１１は搬送読取用コンタクトガラスＧ１に向けて光を照射する（搬送読取用コンタクトガラスＧ１を透過した光が搬送読取用コンタクトガラスＧ１上の原稿Ｄを照射する）。載置読取では、光源１１は載置読取用コンタクトガラスＧ２に向けて光を照射する（載置読取用コンタクトガラスＧ２を透過した光が載置読取用コンタクトガラスＧ２上の原稿Ｄを照射する）。原稿Ｄで反射された反射光は、ミラー１３で反射され、レンズ１４に導かれる。レンズ１４は、反射光を集光する。
【００３１】
イメージセンサー１２は、ＲＧＢ各色に対応するラインセンサーを含む。各色のラインセンサーは、主走査方向にライン状に並ぶ複数の光電変換素子を有するＣＣＤからなる。イメージセンサー１２は、原稿Ｄからの反射光（レンズ１４で集光された光）を受光すると、ライン単位で画素ごとに光電変換して電荷を蓄積する。そして、イメージセンサー１２は、蓄積電荷に応じたアナログ信号（ＲＧＢ信号）を出力する。
【００３２】
光源１１およびミラー１３は、主走査方向と直交する副走査方向に移動可能な移動枠１５に装着される。移動枠１５はワイヤー１６に連結される。ワイヤー１６は巻取ドラム１７に巻回される。巻取ドラム１７は、図示しない駆動源から駆動力を受けて回転する。巻取ドラム１７が回転すると、移動枠１５が副走査方向に移動する。すなわち、光源１１およびミラー１３が副走査方向に移動する。
【００３３】
搬送読取では、原稿搬送ユニット１０１が閉じられ、ユーザーによって原稿搬送ユニット１０１に原稿Ｄがセットされる。そして、原稿搬送ユニット１０１は、搬送読取用コンタクトガラスＧ１に向けて原稿Ｄを搬送する。
【００３４】
搬送読取のときには、光源１１を含む移動枠１５が搬送読取用コンタクトガラスＧ１の下方に移動する。そして、搬送読取用コンタクトガラスＧ１の下方において、光源１１が搬送読取用コンタクトガラスＧ１に向けて光を照射する。イメージセンサー１２は、搬送読取用コンタクトガラスＧ１上を通過する原稿Ｄで反射された反射光の光電変換を連続して繰り返し行う。これにより、原稿Ｄの読み取りがライン単位で行われる。
【００３５】
載置読取では、ユーザーによって載置読取用コンタクトガラスＧ２上に原稿Ｄが載置される。載置読取用コンタクトガラスＧ２上への原稿Ｄの載置後、通常では、原稿搬送ユニット１０１が閉じられるが、原稿搬送ユニット１０１が閉じられない場合もある。原稿搬送ユニット１０１が開けられた状態であっても、載置読取は可能である。たとえば、原稿Ｄが書籍などであれば、原稿搬送ユニット１０１が開けられた状態で載置読取が行われる場合がある。
【００３６】
載置読取のときには、光源１１を含む移動枠１５が副走査方向（正面から見て左から右に向かう方向）に移動する。そして、移動枠１５が副走査方向に移動しているとき、光源１１が載置用コンタクトガラスＧ２に向けて光を照射する。イメージセンサー１２は、載置読取用コンタクトガラスＧ２上の原稿Ｄで反射された反射光の光電変換を連続して繰り返し行う。これにより、原稿Ｄの読み取りがライン単位で行われる。
【００３７】
図１に戻り、印刷部２は、用紙搬送路（図１では、破線で示す）に沿って用紙Ｐを搬送する。また、印刷部２は、印刷すべき画像の画像データに基づきトナー像を形成する。そして、印刷部２は、搬送中の用紙Ｐにトナー像を印刷する。コピージョブでは、画像読取部１が載置読取や搬送読取で読み取った原稿Ｄの画像が用紙Ｐに印刷される。
【００３８】
印刷部２は、給紙部２１、画像形成部２２および定着部２３を含む。給紙部２１は、カセットＣＡに収容された用紙Ｐを用紙搬送路に給紙する。用紙搬送路に給紙された用紙Ｐは用紙搬送路に沿って搬送される。
【００３９】
画像形成部２２は、ブラック（Ｋ）、イエロー（Ｙ）、シアン（Ｃ）およびマゼンタ（Ｍ）の各色にそれぞれ対応する機構部２２Ｋ、２２Ｙ、２２Ｃおよび２２Ｍを含む。機構部２２Ｋ、２２Ｙ、２２Ｃおよび２２Ｍは、それぞれ、対応する色のトナー像（画像）を形成し、中間ベルトに１次転写する。中間ベルトに転写されたトナー像は、搬送中の用紙Ｐに２次転写される。
【００４０】
定着部２３は、トナー像が転写された用紙Ｐを加圧および加熱する。これにより、用紙Ｐにトナー像が定着される。トナー像が定着された用紙Ｐは、用紙搬送路に沿って搬送される。
【００４１】
後処理装置３は、印刷部２から印刷済み用紙Ｐ（トナー像が定着された用紙Ｐ）を受け入れ、印刷済み用紙Ｐを仕分けて排出する仕分け処理を後処理として行う。たとえば、後処理装置３は、印刷済み用紙Ｐが排出される排出トレイ（図示せず）を複数備える。そして、後処理装置３は、仕分け処理を行うとき、印刷物（印刷済み用紙Ｐ）を排出する排出トレイをジョブごとに変える。なお、後処理装置３は、パンチ処理やステープル処理なども後処理として行う。
【００４２】
操作パネル４は、タッチスクリーン４１およびハードウェアボタン４２を含む。タッチスクリーン４１は、ソフトウェアボタンを配した画面を表示し、ジョブに関するジョブ設定（たとえば、読取解像度や読取サイズなど）をユーザーから受け付ける。ハードウェアボタン４２は、操作パネル４に複数設けられる。たとえば、ハードウェアボタン４２としては、スタートボタンやキャンセルボタンなどがある。スタートボタンは、コピージョブなど画像読取部１による搬送読取や載置読取を伴うジョブの実行指示をユーザーから受け付けるためのボタンである。キャンセルボタンは、ユーザーからキャンセル指示を受け付けるためのボタンである。
【００４３】
また、図４に示すように、複合機１００は、制御部５および記憶部６を備える。制御部５は、ＣＰＵを含む。制御部５は、制御用のプログラムおよびデータに基づき動作し、複合機１００の各部を制御するための処理を行う。記憶部５は、不揮発性メモリー（ＲＯＭ）および揮発性メモリー（ＲＡＭ）を含む。制御用のプログラムおよびデータは、ＲＯＭに記憶され、ＲＡＭに展開される。
【００４４】
制御部５は、画像読取部１（原稿搬送ユニット１０１）に接続される。制御部５は、画像読取部１を制御する。また、制御部５は、画像読取部１による原稿Ｄの読み取りで得られた画像データに対して種々の画像処理を行う。このため、たとえば、制御部５には画像処理用回路や画像処理用メモリーが搭載される。
【００４５】
制御部５は、光源１１およびイメージセンサー１２に接続され、光源１１の点消灯動作およびイメージセンサー１２の読取動作を制御する。また、制御部５は、巻取ドラム１７の駆動源を制御し、巻取ドラム１７の回転と回転停止とを切り替えるとともに、巻取ドラム１７の回転方向を切り替える。すなわち、制御部５は、光源１１を含む移動枠１５を副走査方向に適切に移動させる。また、制御部５は、原稿搬送ユニット１０１に接続され、原稿搬送ユニット１０１の搬送動作を制御する。
【００４６】
また、制御部５は、イメージセンサー１２のアナログ出力（画像データ）を増幅する処理や、アナログ出力をデジタルの画像データに変換する処理などを行う。なお、これら処理を行うデータ処理部が制御部５とは別に設けられてもよい。また、制御部５は、画像データに対して、色変換処理（画像データをＲＧＢ形式からＣＭＹＫ形式に変換する処理）や拡大縮小処理などを行う。
【００４７】
さらに、制御部５は、画像読取部１が読み取った原稿Ｄの画像データ（画像処理済みの画像データ）を含む出力用ファイルを生成する。たとえば、出力用ファイルは、記憶部６に一旦記憶される。そして、制御部５は、出力用ファイルに基づきジョブを実行する。なお、制御部５は、１回のジョブで複数ページ分の画像データを生成した場合、複数ページ分の画像データを１ファイルにまとめる。すなわち、出力用ファイルはジョブごとに生成される。
【００４８】
また、制御部５には、開閉センサー１１１や把持センサー１１２など種々のセンサーが接続される。制御部５は、各種センサーの出力値を監視する。
【００４９】
制御部５は、開閉センサー１１１の出力値に基づき、原稿搬送ユニット１０１の傾斜角度を検知する。制御部５は、開閉センサー１１１の出力値が第１レベルから第２レベル（あるいは、第２レベルから第１レベル）に変化したことを検知すると、原稿搬送ユニット１０１の傾斜角度が所定角度になったと判断する。
【００５０】
なお、制御部５は、開閉センサー１１１の出力値が第２レベルから第１レベルに変化したことを検知すると（原稿搬送ユニット１０１が開状態から閉状態に変化するとき）、画像読取部１にプレスキャンを行わせる。そして、制御部５は、プレスキャンにより得られた画像データに基づき、搬送読取用コンタクトガラスＧ１上における原稿Ｄの有無を判断する。
【００５１】
制御部５は、把持センサー１１２の出力値に基づき、原稿搬送ユニット１０１の把持部１０１ａの状態（ユーザーが原稿搬送ユニット１０１の把持部１０１ａを把持しているか否か）を検知する。制御部５は、原稿搬送ユニット１０１が閉じられているとき、ユーザーが原稿搬送ユニット１０１の把持部１０１ａを把持していることを検知すると、ユーザーが原稿搬送ユニット１０１を開けようとしていると判断する。
【００５２】
また、制御部５には、ロック機構１１３が接続される。制御部５は、ロック機構１１３を制御する。制御部５は、ロック機構１１３を制御することにより、原稿搬送ユニット１０１の開閉のロックとロック解除とを切り替える。
【００５３】
具体的には、制御部５は、画像読取部１による搬送読取の開始に際し、原稿搬送ユニット１０１の開閉をロックする。原稿搬送ユニット１０１の開閉をロックするタイミングは特に限定されない。原稿搬送ユニット１０１に原稿Ｄがセットされたとき、原稿搬送ユニット１０１の開閉がロックされてもよい。あるいは、原稿搬送ユニット１０１に原稿Ｄがセットされ、その状態で、操作パネル４のスタートボタンが操作されたとき（当該操作は画像読取部１による搬送読取を伴うジョブの実行を指示する操作である）、原稿搬送ユニット１０１の開閉がロックされてもよい。そして、制御部５は、原稿搬送ユニット１０１の開閉をロックして以降、画像読取部１による搬送読取が完了すると、原稿搬送ユニット１０１の開閉のロックを解除する。
【００５４】
なお、図示しないが、原稿搬送ユニット１０１には、原稿搬送ユニット１０１に原稿Ｄがセットされているときとセットされていないときとで出力値を変化させるセットセンサーが設けられる。そして、制御部５は、セットセンサーの出力値に基づき、原稿搬送ユニット１０１に原稿Ｄがセットされているか否かを判断する。
【００５５】
また、制御部５は、印刷部２に接続される。制御部５は、印刷部２の印刷動作を制御する。たとえば、コピージョブを実行するとき、制御部５は、まず、読取対象の原稿Ｄの読み取りを画像読取部１に行わせる。読取対象の原稿Ｄが複数枚存在する場合には、印刷部２が印刷を行うのに先立ち、複数枚の原稿Ｄの全ての読み取りが画像読取部１により行われる。画像読取部１による読取対象の原稿Ｄの読み取りが完了すると、制御部５は、画像読取部１が読み取った原稿Ｄの画像データを含む出力用ファイルを生成する。
【００５６】
その後、制御部５は、出力用ファイルに含まれる画像データに基づき、印刷部２にトナー像を形成させるための露光制御用データ（露光装置の露光を制御するためのデータ）を生成する。そして、制御部５は、露光制御用データを印刷部２に出力する。印刷部２は、制御部５から露光制御用データを受けると、用紙Ｐを搬送するとともに、制御部５からの露光制御用データに基づき静電潜像を形成し、当該形成した静電潜像をトナー像に現像する。そして、印刷部２は、搬送中の用紙Ｐにトナー像を転写する。
【００５７】
また、制御部５は、後処理装置３に接続される。制御部５は、後処理装置３の後処理動作を制御する。後処理装置３は、制御部５から指示を受け、仕分け処理などの後処理を行う。
【００５８】
たとえば、制御部５は、複数のコピージョブを連続して実行する場合、後処理装置３に仕分け指示を与える。後処理装置３は、仕分け指示を受けると、コピージョブの印刷物の排出先をジョブごとに変える。すなわち、印刷物が排出される排出トレイがジョブごとに変わる。なお、制御部５は、後述する割り込みジョブを実行する場合にも、後処理装置３に仕分け指示を与える。
【００５９】
また、制御部５は、操作パネル４に接続される。制御部５は、操作パネル４の表示動作を制御するとともに、操作パネル４に対して行われた操作（タッチパネルディスプレイ４１に対するタッチ操作およびハードウェアボタン４２に対する押下操作）を検知する。
【００６０】
＜載置読取の強制実行＞
本実施形態では、複合機１００にて搬送読取を伴うコピージョブが実行されているときに、画像読取部１による搬送読取を中断し、画像読取部１に載置読取を行わせることができる。言い換えると、載置読取の強制実行が可能である。
【００６１】
以下に、図５に示すフローチャートを参照し、載置読取の強制実行について説明する。図５に示すフローチャートは、搬送読取を伴うコピージョブの実行指示を操作パネル４が受け付けたときにスタートする。
【００６２】
なお、ユーザーは搬送読取を伴うコピージョブの実行を指示するとき、原稿搬送ユニット１０１に原稿Ｄをセットする。このとき、原稿搬送ユニット１０１が開けられている場合には、ユーザーは原稿搬送ユニット１０１を閉じる。そして、ユーザーは操作パネル４のスタートボタンを押下する。制御部５は、原稿搬送ユニット１０１に原稿Ｄがセットされた状態で、操作パネル４のスタートボタンに対する操作を検知したとき、搬送読取を伴うコピージョブの実行指示を操作パネル４が受け付けたと判断する。
【００６３】
ステップＳ１において、制御部５は、ロック機構１１３を制御し、原稿搬送ユニット１０１の開閉をロックする。そして、ステップＳ２において、制御部５は、画像読取部１に搬送読取を実行させる。
【００６４】
ステップＳ３において、制御部５は、把持センサー１１２の出力値に基づき、原稿搬送ユニット１０１の把持部１０１ａが把持されたか否かを判断する。その結果、原稿搬送ユニット１０１の把持部１０１ａが把持されたと制御部５が判断した場合には、ステップＳ４に移行する。
【００６５】
ここで、ユーザーは原稿搬送ユニット１０１の開閉作業を行うのに際し原稿搬送ユニット１０１の把持部１０１を把持する。したがって、原稿搬送ユニット１０１の把持部１０１ａが把持されたということは、ユーザーが原稿搬送ユニット１０１を開けようとしているということである。言い換えると、ユーザーが載置読取用コンタクトガラスＧ２上に原稿Ｄを載置しようとしているということである。
【００６６】
ステップＳ４に移行すると、制御部５は、実行中の搬送読取（以下、対象搬送読取と称する）を中断させる。このとき、制御部５は、原稿搬送ユニット１０１に指示し、現在搬送中の原稿Ｄの次に搬送すべき次原稿Ｄの搬送を禁止させる。そして、ステップＳ５において、制御部５は、画像読取部１が現在搬送中の原稿Ｄを読み取った後（現在搬送中の原稿Ｄの読み取りが終了し、当該原稿Ｄが排出された後）、ロック機構１１３によるロックを解除する。
【００６７】
ロック機構１１３によるロックが解除されると、原稿搬送ユニット１０１の開閉が可能となる。これにより、ユーザーによる開閉作業（原稿搬送ユニット１０１を開けた後、載置読取用コンタクトガラスＧ２上に原稿Ｄを載置してから、原稿搬送ユニット１０１を閉じる作業）が行われる。
【００６８】
その後、ステップＳ６において、制御部５は、第１〜第４処理から、以降に行う処理を選択する。このとき、制御部５は、図６および図７に示すような受付画面ＰＳ（第１受付画面ＰＳ１および第２受付画面ＰＳ２）を操作パネル４に表示させる。
【００６９】
たとえば、開閉センサー１１１の出力値が第２レベルから第１レベルに変化したことを制御部５が検知したとき、操作パネル４による第１受付画面ＰＳ１の表示が開始される。すなわち、載置読取用コンタクトガラスＧ２上への原稿Ｄの載置後、ユーザーが原稿搬送ユニット１０１を閉じようとしているとき（原稿搬送ユニット１０１の傾斜角度が所定角度になったとき）、操作パネル４は第１受付画面ＰＳ１を表示する。あるいは、原稿搬送ユニット１０１の把持部１０１ａが把持されたことを制御部５が検知したとき、操作パネル４による第１受付画面ＰＳ１の表示が開始されてもよい（ステップＳ４およびＳ５の各処理と並行してステップＳ６の処理が行われてもよい）。
【００７０】
操作パネル４は、まず、図６に示す第１受付画面ＰＳ１を表示する。第１受付画面ＰＳ１には、受付ボタンＢ１１およびＢ１２が配される。また、第１受付画面ＰＳ１には、決定ボタンＤ１が配される。受付ボタンＢ１１は、中断したジョブとは別のジョブを割り込みで実行する旨の指示をユーザーから受け付けるためのソフトウェアボタンである。以下の説明では、割り込みで実行するジョブを割り込みジョブと称する場合がある。
【００７１】
制御部５は、受付ボタンＢ１１をタッチしてから続けて決定ボタンＤ１をタッチする第１操作を検知すると、第１処理を選択する。第１処理については後述する。
【００７２】
制御部５は、受付ボタンＢ１２をタッチする操作を検知すると、図７に示す第２受付画面ＰＳ２を操作パネル４に表示させる。第２受付画面ＰＳ２には、受付ボタンＢ２１、Ｂ２２およびＢ２３が配される。また、第２受付画面ＰＳ２には、決定ボタンＤ２が配される。
【００７３】
受付ボタンＢ２１をタッチしてから続けて決定ボタンＤ２をタッチする第２操作を検知した場合、制御部５は第２処理を選択する。受付ボタンＢ２２をタッチしてから続けて決定ボタンＤ２をタッチする第３操作を検知した場合、制御部５は第３処理を選択する。受付ボタンＢ２３をタッチしてから続けて決定ボタンＤ２をタッチする第４操作を検知した場合、制御部５は第４処理を選択する。第２〜第４処理については後述する。
【００７４】
図５に戻り、ステップＳ６の処理後、ステップＳ７に移行する。ステップＳ７に移行すると、制御部５は、載置読取を強制的に実行する旨の指示である強制実行指示の受け付けを操作パネル４に行わせる。そして、制御部５は、操作パネル４が強制実行指示を受け付けたか否かを判断する。その結果、強制実行指示を受け付けたと制御部５が判断した場合には、ステップＳ８に移行する。
【００７５】
なお、制御部５は、対象搬送読取を中断させて以降、原稿搬送ユニット１０１を開ける作業が行われることによって開閉センサー１１１の出力値が第１レベルから第２レベルに変化した後、原稿搬送ユニット１０１を閉じる作業が行われることによって開閉センサー１１１の出力値が第２レベルから第１レベルに変化したとき、画像読取部１にプレスキャンを行わせる。また、制御部５は、プレスキャンにより得られた画像データに基づき、載置読取用コンタクトガラスＧ２上に原稿Ｄが載置されているか否かを判断する。そして、制御部５は、載置読取用コンタクトガラスＧ２上に原稿Ｄが載置された状態で、操作パネル４のスタートボタンに対する操作が行われると、当該操作を強制実行指示として検知する（強制実行指示を受け付けたと判断する）。
【００７６】
ステップＳ８に移行すると、制御部５は、画像読取部１に載置読取を強制的（優先的）に実行させる。このとき、原稿搬送ユニット１０１に原稿Ｄがセットされていても、画像読取部１による載置読取が強制的（優先的）に実行される。
【００７７】
ステップＳ９において、制御部５は、強制的に実行させた載置読取（以下、強制載置読取と称する）が完了したか否かを判断する。その結果、強制載置読取が完了したと制御部５が判断した場合には、ステップＳ１０に移行し、強制載置読取が完了していないと制御部５が判断した場合には、ステップＳ９の処理が繰り返される。
【００７８】
ステップＳ１０に移行すると、制御部５は、画像読取部１に対象搬送読取（中断させた搬送読取）を再開させる。なお、対象搬送読取が自動的に再開されてもよいし、ユーザーからの再開指示（たとえば、操作パネル４のスタートボタンに対する操作）を受けて対象搬送読取が再開されてもよい。その後、ステップＳ１１において、制御部５は、対象搬送読取が完了したか否かを判断する。その結果、対象搬送読取が完了したと制御部５が判断した場合には、ステップＳ１２に移行し、対象搬送読取が完了していないと制御部５が判断した場合には、ステップＳ１１の処理が繰り返される。
【００７９】
ステップＳ１２に移行すると、制御部５は、出力用ファイルを生成する。詳細は後述する。以降、制御部５は、出力用ファイルに基づきジョブを続行する。
【００８０】
ステップＳ７において、強制実行指示を受け付けていないと制御部５が判断した場合には、ステップＳ１０に移行する。たとえば、受付画面ＰＳ（図６および図７参照）の表示中、操作パネル４のキャンセルボタンに対する操作を検知すると、制御部５は、受付画面ＰＳの表示を停止させる。その状態で、操作パネル４のスタートボタンに対する操作を検知すると、制御部５は、画像読取部１に対象搬送読取を再開させる（すなわち、ステップＳ７からステップＳ１０に移行する）。
【００８１】
ステップＳ３において、原稿搬送ユニット１０１の把持部１０１ａが把持されていないと制御部５が判断した場合には、ステップＳ１３に移行する。ステップＳ１３に移行すると、制御部５は、対象搬送読取が完了したか否かを判断する。その結果、対象搬送読取が完了したと制御部５が判断した場合には、ステップＳ１２に移行する。この場合には、対象搬送読取で得られた原稿Ｄの画像データだけを含む出力用ファイルが制御部５により生成される。一方で、対象搬送読取が完了していないと制御部５が判断した場合には、ステップＳ３の処理が繰り返される。
【００８２】
以下に、第１〜第４処理について説明する。
【００８３】
（第１処理）
ステップＳ６で第１処理を選択した場合、制御部５は、対象搬送読取で得られた原稿Ｄの画像データを含む出力用ファイル（ここでは、対象搬送読取の出力用ファイルと称する）とは別個に、強制載置読取で得られた原稿Ｄの画像データを含む出力用ファイル（ここでは、強制載置読取の出力用ファイルと称する）を生成する処理を行う。言い換えると、制御部５は、強制載置読取を伴うコピージョブを割り込みジョブとして実行する（強制載置読取を伴うコピージョブおよび対象搬送読取を伴うコピージョブが互いに別ジョブとして扱われる）。対象搬送読取の出力用ファイルには、中断前の対象搬送読取で得られた原稿Ｄの画像データおよび再開後の対象搬送読取で得られた原稿Ｄの画像データの両方が含められる。なお、強制載置読取は対象搬送読取よりも先に完了する。したがって、強制載置読取の出力用ファイルは対象搬送読取の出力用ファイルよりも先に生成される。
【００８４】
制御部５は、強制載置読取の出力用ファイルの生成が完了すると、強制載置読取の出力用ファイルに基づく印刷を印刷部２に行わせる。すなわち、制御部５は、強制載置読取の出力用ファイルに含まれる画像データに基づき露光制御用データを生成し印刷部２に出力する。これにより、強制載置読取の出力用ファイルに基づく印刷で得られる印刷物（ここでは、強制載置読取の印刷物と称する）が排出される。
【００８５】
その後、制御部５は、対象搬送読取の出力用ファイルに基づく印刷を印刷部２に行わせる。これにより、対象搬送読取の出力用ファイルに基づく印刷で得られる印刷物（ここでは、対象搬送読取の印刷物と称する）が排出される。このとき、制御部５は、後処理装置３に仕分け指示を与える。仕分け指示を受けた後処理装置３は、強制載置読取の印刷物と対象搬送読取の印刷物とを仕分ける。たとえば、後処理装置３は、強制載置読取の印刷物を排出した排出トレイとは異なる排出トレイに対象搬送読取の印刷物を排出する。
【００８６】
（第２処理）
ステップＳ６で第２処理を選択した場合、制御部５は、対象搬送読取で得られた原稿Ｄの画像データを含む出力用ファイル（ここでは、単に出力用ファイルと称する）に、強制載置読取で得られた原稿Ｄの画像データを含める。このとき、制御部５は、出力用ファイルのうちユーザー指定のページに、強制載置読取で得られた原稿Ｄの画像データを挿入する。
【００８７】
ここで、制御部５は、図７に示した第２受付画面ＰＳ２に対して第２操作が行われた場合、強制載置読取で得られた原稿Ｄの画像データをユーザー指定のページに挿入する旨を操作パネル４が受け付けたと判断する（第２処理を選択する）。すなわち、第２受付画面ＰＳ２は、強制載置読取で得られた原稿Ｄの画像データをユーザー指定のページに挿入するか否かを受け付けるための画面である。
【００８８】
そして、制御部５は、第２受付画面ＰＳ２に対する第２操作を検知すると、操作パネル４に指示し、ページ入力画面（図示せず）の表示を行わせるとともに、数値入力の受付を行わせる。ページ入力画面に数値が入力されると、制御部５は、当該入力された数値をユーザー指定のページとして認識する。
【００８９】
たとえば、図８に示すように、対象搬送読取によって３ページ分の画像データが生成され、強制載置読取によって１ページ分の画像データが生成されたとする。また、ユーザー指定のページが「２」であったとする。この場合には、出力用ファイルのうち、１ページ目、３ページ目および４ページ目が対象搬送読取の画像データとなり、２ページ目が強制載置読取の画像データとなる。
【００９０】
対象搬送読取の画像データおよび強制載置読取の画像データの両方を含む出力用ファイルの生成後、制御部５は、当該出力用ファイルに基づく印刷を印刷部２に行わせる。これにより、当該出力用ファイルに基づく印刷で得られる印刷物が単一の排出トレイに排出される。
【００９１】
（第３処理）
ステップＳ６で第３処理を選択した場合、制御部５は、対象搬送読取で得られた原稿Ｄの画像データを含む出力用ファイル（ここでは、単に出力用ファイルと称する）に、強制載置読取で得られた原稿Ｄの画像データを含める。このとき、制御部５は、出力用ファイルのうち先頭ページおよび最終ページの少なくとも一方に、強制載置読取で得られた原稿Ｄの画像データを挿入する。言い換えると、制御部５は、表紙の画像データおよび裏表紙の画像データの少なくとも一方を追加する。
【００９２】
ここで、制御部５は、図７に示した第２受付画面ＰＳ２に対して第３操作が行われた場合、強制載置読取で得られた原稿Ｄの画像データを表紙（裏表紙を含む）の画像データとして追加する旨を操作パネル４が受け付けたと判断する（第３処理を選択する）。すなわち、第２受付画面ＰＳ２は、強制載置読取で得られた原稿Ｄの画像データを表紙の画像データとして追加するか否かを受け付けるための画面である。
【００９３】
そして、制御部５は、第２受付画面ＰＳ２に対する第３操作を検知すると、操作パネル４に指示し、表紙／裏表紙設定画面（図示せず）の表示を行わせるとともに、表紙／裏表設定画面に対する設定操作の受付を行わせる。表紙／裏表紙設定画面では、強制載置読取の画像データが表紙の画像データとして追加されるよう設定することもできるし、裏表紙の画像データとして追加されるよう設定することもできる。
【００９４】
たとえば、図９に示すように、対象搬送読取によって３ページ分の画像データが生成され、強制載置読取によって１ページ分の画像データが生成されたとする。また、強制載置読取の画像データを表紙の画像データとして追加する旨の設定がなされたとする。この場合には、出力用ファイルのうち、２〜４ページ目が対象搬送読取の画像データとなり、１ページ目（先頭ページ）が強制載置読取の画像データとなる。図示しないが、強制載置読取の画像データを裏表紙の画像データとして追加する旨の設定がなされていれば、出力用ファイルのうち、１〜３ページ目が対象搬送読取の画像データとなり、４ページ目（最終ページ）が強制載置読取の画像データとなる。表紙および裏表紙の両方を追加する旨の設定がなされている場合には、出力用ファイルのうち、２〜４ページ目が対象搬送読取の画像データとなり、１ページ目（先頭ページ）および５ページ目（最終ページ）が強制載置読取の画像データとなる。
【００９５】
対象搬送読取の画像データおよび強制載置読取の画像データの両方を含む出力用ファイルの生成後、制御部５は、当該出力用ファイルに基づく印刷を印刷部２に行わせる。これにより、当該出力用ファイルに基づく印刷で得られる印刷物が単一の排出トレイに排出される。
【００９６】
なお、ユーザーによっては、表紙（裏表紙を含む）の紙種を他のページの紙種とは異ならせたい場合がある。このようなユーザーの要望に応えるため、表紙／裏表紙設定画面において、強制載置読取の画像データに基づく印刷で使用する用紙カセットＣＡの設定（給紙元の設定）を行えるようにしてもよい。
【００９７】
（第４処理）
ステップＳ６で第４処理を選択した場合、すなわち、図７に示した第２受付画面ＰＳ２に対して第４操作が行われた場合、制御部５は、設定切替を行う旨を操作パネル４が受け付けたと判断する。すなわち、第２受付画面ＰＳ２は、設定切替を行うか否かを受け付けるための画面である。
【００９８】
制御部５は、第２受付画面ＰＳ２に対する第４操作を検知すると（第４処理を選択すると）、操作パネル４に強制載置読取用設定の受け付けを行わせる。このとき、操作パネル４は、ジョブ設定（原稿Ｄの読み取りを伴うジョブに関する設定）を受け付けるための設定画面を表示し、強制載置読取用設定を受け付ける。たとえば、当該設定画面では、読取解像度や読取サイズの設定、カラーモードで読み取るかモノクロモードで読み取るかの設定（読取モードの設定）を行える。
【００９９】
そして、制御部５は、画像読取部１に強制載置読取を行わせるとき、現在の設定内容（対象搬送読取の開始に際しユーザーから受け付けたジョブ設定の設定内容）を強制載置読取用設定で設定された設定内容に切り替える。その後、画像読取部１に対象搬送読取を再開させるとき、制御部５は、設定内容を元の設定内容（強制載置読取用設定の受付前の設定内容）に戻す。
【０１００】
また、制御部５は、対象搬送読取で得られた原稿Ｄの画像データを含む出力用ファイル（ここでは、単に出力用ファイルと称する）に、強制載置読取で得られた原稿Ｄの画像データを含める。このとき、制御部５は、出力用ファイルのうち最終ページに、強制載置読取で得られた原稿Ｄの画像データを挿入する。
【０１０１】
たとえば、図１０に示すように、対象搬送読取によって３ページ分の画像データが生成され、強制載置読取によって１ページ分の画像データが生成されたとする。また、対象搬送読取の読取モードがモノクロモードであり、強制載置読取の読取モードがカラーモードであったとする。この場合には、出力用ファイルのうち、１〜３ページ目が対象搬送読取の画像データ（モノクロデータ）となり、４ページ目が強制載置読取の画像データ（カラーデータ）となる。
【０１０２】
対象搬送読取の画像データおよび強制載置読取の画像データの両方を含む出力用ファイルの生成後、制御部５は、当該出力用ファイルに基づく印刷を印刷部２に行わせる。これにより、当該出力用ファイルに基づく印刷で得られる印刷物が単一の排出トレイに排出される。
【０１０３】
本実施形態の複合機１００（画像形成装置）は、上記のように、搬送読取を行うときには搬送読取用コンタクトガラスＧ１（第１コンタクトガラス）に搬送されてきた原稿Ｄを読み取り、載置読取を行うときには載置読取用コンタクトガラスＧ２（第２コンタクトガラス）に載置された原稿Ｄを読み取る画像読取部１と、搬送読取用コンタクトガラスＧ１および載置読取用コンタクトガラスＧ２に対して開閉するよう支持され、搬送読取用コンタクトガラスＧ１に原稿Ｄを搬送する原稿搬送ユニット１０１と、画像読取部１が読み取った原稿Ｄの画像データを含む出力用ファイルを生成し、出力用ファイルに基づきジョブを実行する制御部５と、ジョブに関するジョブ設定を受け付けるとともに、ジョブの実行指示を受け付ける操作パネル４と、を備える。制御部５は、搬送読取の実行中、ユーザーが原稿搬送ユニット１０１を開けようとしているか否かの判断を行い、ユーザーが原稿搬送ユニット１０１を開けようとしていると判断したとき、実行中の搬送読取である対象搬送読取を中断させるとともに、載置読取を強制的に実行する旨の指示である強制実行指示の受け付けを操作パネル４に行わせ、操作パネル４が強制実行指示を受け付けると、画像読取部１に載置読取を強制的に実行させ、強制的に実行させた載置読取である強制載置読取の完了後、対象搬送読取を画像読取部１に再開させる。
【０１０４】
本実施形態の構成では、複合機１００が搬送読取を実行しているときであっても、複合機１００に載置読取を実行させるため（載置読取用コンタクトガラスＧ２に原稿Ｄを載置するため）にユーザーが原稿搬送ユニット１０１を開けようとすると、現在実行中の搬送読取（対象搬送読取）が中断され、載置読取の実行指示（強制実行指示）の受け付けが操作パネル４にて行われる。そして、操作パネル４に対して強制実行指示を行った場合には複合機１００にて載置読取が強制的に実行される。すなわち、複合機１００が搬送読取を実行しているときであっても当該搬送読取の完了を待たずに複合機１００に載置読取を実行させることができる。これにより、ユーザーの利便性が向上する。
【０１０５】
また、この構成では、複合機１００が搬送読取を実行しているとき、ユーザーが原稿搬送ユニット１０１を開けようとすると、実行中の搬送読取が自動的に中断され、載置読取の実行指示の受け付けが操作パネル４にて行われる（複合機１００に載置読取を実行させることができるようになる）。これにより、ユーザーからすると、特別な操作を行う必要がない（原稿搬送ユニット１０１を開けようとするだけでよい）ので、利便性が良い。
【０１０６】
また、本実施形態では、上記のように、制御部５は、第１〜第４処理のいずれかを選択的に行う（受付画面ＰＳでのユーザーの設定に基づく処理を行う）。
【０１０７】
制御部５が第１処理を行うよう設定した場合には、強制載置読取の出力用ファイルが対象搬送読取の出力用ファイルとは別個に生成される。すなわち、強制載置読取を伴うジョブおよび対象搬送読取を伴うジョブが互いに別ジョブとして扱われる。これにより、強制載置読取の印刷物と対象搬送読取の印刷物とが別々に排出される（強制載置読取の印刷物が排出された後に対象搬送読取の印刷物が排出される）ので、対象搬送読取の印刷物（印刷済み用紙Ｐの束）の中に強制載置読取の印刷物が混ざることはない。これにより、強制載置読取の印刷物と対象搬送読取の印刷物とを仕分ける作業が容易になり、ユーザーの利便性が向上する。
【０１０８】
制御部５が第２処理を行うよう設定した場合には、対象搬送読取で得られた原稿Ｄの画像データを含む出力用ファイルのうちユーザー指定のページに、強制載置読取で得られた原稿Ｄの画像データが挿入される。これにより、対象搬送読取で得られた原稿Ｄの画像データおよび強制載置読取で得られた原稿Ｄの画像データを１ファイルにまとめることができ、かつ、強制載置読取で得られた原稿Ｄの画像データを任意のページに挿入することができるので、ユーザーの利便性が向上する。
【０１０９】
制御部５が第３処理を行うよう設定した場合には、対象搬送読取で得られた原稿Ｄの画像データを含む出力用ファイルのうち先頭ページおよび最終ページの少なくとも一方に、強制載置読取で得られた原稿の画像データが挿入される。これにより、表紙や裏表紙にすべき原稿Ｄを原稿搬送ユニット１０１にセットし忘れたとしても、容易に、対象搬送読取で得られた原稿Ｄの画像データを含む出力用ファイに表紙（または、裏表紙）の画像データを追加することができるので、ユーザーの利便性が向上する。
【０１１０】
制御部５が第４処理を行うよう設定した場合には、設定内容が強制載置読取用設定で設定した設定内容に切り替わった状態で強制載置読取が実行される。そして、対象搬送読取で得られた原稿Ｄの画像データを含む出力用ファイルのうち最終ページに、強制載置読取で得られた原稿Ｄの画像データが挿入される。これにより、対象搬送読取の設定内容と強制載置読取の設定内容とを異ならせることができ、かつ、対象搬送読取で得られた原稿Ｄの画像データと強制載置読取で得られた原稿Ｄの画像データとを１ファイルにまとめることができるので、ユーザーの利便性が向上する。
【０１１１】
また、本実施形態では、上記のように、原稿搬送ユニット１０１の把持部１０１ａに把持センサー１１２が設けられる。把持センサー１１２は制御部５に接続される。ここで、ユーザーが原稿搬送ユニット１０１を開けようとするときには、ユーザーは原稿搬送ユニット１０１の把持部１０１ａを把持するので、把持センサー１１２の出力値はユーザーが原稿搬送ユニット１０１を開けようとするときに変化する。したがって、把持センサー１１２を制御部５に接続し、把持センサー１１２の出力値を制御部５に検知させることにより、容易に、ユーザーが原稿搬送ユニット１０１を開けようとしているか否かの判断を制御部５に行わせることができる。
【０１１２】
また、本実施形態では、上記のように、制御部５は、搬送読取の実行中に把持センサー１１２の出力値に基づき原稿搬送ユニット１０１の把持部１０１ａが把持されたことを検知したとき、原稿搬送ユニット１０１による次原稿Ｄの搬送を禁止させ、画像読取部１が現在搬送中の原稿Ｄを読み取った後、ロック機構１１３によるロックを解除する。これにより、原稿搬送ユニット１０１が原稿Ｄを搬送していないとき（画像読取部１が原稿Ｄを読み取っていないとき）に原稿搬送ユニット１０１が開けられるので、原稿搬送ユニット１０１が原稿Ｄを搬送しているときに原稿搬送ユニット１０１が開けられることによってエラーが発生する、という不都合が生じるのを抑制することができる。
【０１１３】
＜変形例＞
制御部５は、図５に示すステップＳ６において、強制載置読取に関する設定を受け付けるための受付画面ＰＳとして、第１受付画面ＰＳ１（図６参照）および第２受付画面ＰＳ２（図６参照）を選択的に操作パネル４に表示させる。上記実施形態では、操作パネル４は、まず、第１受付画面ＰＳ１を表示する。そして、第１受付画面ＰＳ１の受付ボタンＢ１２がタッチされると、操作パネル４は、第１受付画面ＰＳ１に代えて、第２受付画面ＰＳ２を表示する。
【０１１４】
このように、上記実施形態では、第１受付画面ＰＳ１が最初に表示される。しかし、変形例では、第２受付画面ＰＳ２が最初に表示される場合もある。
【０１１５】
（第１変形例）
第１変形例では、制御部５は、原稿搬送ユニット１０１の把持部１０１ａが把持されたことによって対象搬送読取を中断させてから、原稿搬送ユニット１０１の傾斜角度が所定角度になるまでの時間（ここでは、開時間と称する）を計測する。そして、制御部５は、開時間（計測した計測時間）が予め定められた第１閾値時間以上であるか否かを判断する。その結果、開時間が第１閾値時間以上である場合、制御部５は、第１受付画面ＰＳ１を最初に操作パネル４に表示させる。一方で、開時間が第１閾値時間未満である場合、制御部５は、第２受付画面ＰＳ２を最初に操作パネル４に表示させる。
【０１１６】
第１変形例の構成では、ページの挿入や表紙の追加を行いたい場合、開時間が第１閾値時間未満になるよう原稿搬送ユニット１０１を素早く開くことにより、第１受付画面ＰＳ１の表示を経ずに第２受付画面ＰＳ２を表示させることができる。これにより、ユーザーの利便性を向上させることができる。割り込みジョブを実行したい場合には、開時間が閾値時間以上になるよう原稿搬送ユニット１０１をゆっくり開けばよい。
【０１１７】
なお、第１変形例の構成では、第２受付画面ＰＳ２に戻るボタン（図示せず）が配される。戻るボタンを操作することにより、操作パネル４の表示画面を第２受付画面ＰＳ２から第１受付画面ＰＳ１に切り替えることができる。
【０１１８】
（第２変形例）
第２変形例では、たとえば、２つの開閉センサー１１１が上下方向に間隔を隔てて配置される。ここでは、下側の開閉センサー１１１を下開閉センサー１１１と称し、上側の開閉センサー１１１を上開閉センサー１１１と称する。下開閉センサー１１１の出力値は、原稿搬送ユニット１０１を開く作業が開始されて以降、原稿搬送ユニット１０１の傾斜角度が第１所定角度（たとえば、３０°）になったときに第１レベルから第２レベルに変化する。上開閉センサー１１１の出力値は、原稿搬送ユニット１０１を開く作業が開始されて以降、原稿搬送ユニット１０１の傾斜角度が第１所定角度よりも大きい第２所定角度（たとえば、４０°）になったときに第１レベルから第２レベルに変化する。この例では、下開閉センサー１１１が「第１角度検知部」に相当し、上開閉センサー１１１が「第２角度検知部」に相当する。
【０１１９】
制御部５は、対象搬送読取を中断させて以降、下開閉センサー１１１および上開閉センサー１１１の各出力値を監視する。そして、制御部５は、下開閉センサー１１１の出力値が第２レベルに変化してから、上開閉センサー１１１の出力値が第２レベルに変化することなく予め定められた第２閾値時間が経過すると、第１受付画面ＰＳ１を最初に操作パネル４に表示させる。一方で、制御部５は、下開閉センサー１１１の出力値が第２レベルに変化してから、第２閾値時間が経過する前に上開閉センサー１１１の出力値が第２レベルに変化すると、第２受付画面ＰＳ２を最初に操作パネル４に表示させる。すなわち、制御部５は、対象搬送読取を中断させて以降、原稿搬送ユニット１０１の傾斜角度が第１所定角度になってから当該傾斜角度が第２所定角度になることなく第２閾値時間が経過すると、第１受付画面ＰＳ１を最初に操作パネル４に表示させる。一方で、制御部５は、対象搬送読取を中断させて以降、原稿搬送ユニット１０１の傾斜角度が第１所定角度になってから第２閾値時間が経過する前に当該傾斜角度が第２所定角度になると、第２受付画面ＰＳ２を最初に操作パネル４に表示させる。
【０１２０】
第２変形例の構成では、ページの挿入や表紙の追加を行いたい場合、原稿搬送ユニット１０１を開き始めてから、第２閾値時間が経過する前に、原稿搬送ユニット１０１を傾斜角度が４０°になるまで素早く開くことにより、第１受付画面ＰＳ１の表示を経ずに第２受付画面ＰＳ２を表示させることができる。これにより、ユーザーの利便性を向上させることができる。割り込みジョブを実行したい場合には、原稿搬送ユニット１０１を傾斜角度が３０°になるまで開いた後、その状態を第２閾値時間が経過するまで維持しておけばよい。
【０１２１】
なお、第２変形例の構成では、第１変形例の構成と同様、第２受付画面ＰＳ２から第１受付画面ＰＳ１への切り替えを受け付けるため、第２受付画面ＰＳ２に戻るボタン（図すせず）が配される。
【０１２２】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【０１２３】
たとえば、上記実施形態では、搬送読取を伴うコピージョブの実行中に当該コピージョブを中断させて載置読取を強制的に行う場合について説明したが、本発明はこれに限らない。一例として、搬送読取を伴うジョブとしては、複合機１００（記憶部６）に出力用ファイルを保存する保存ジョブや、複合機１００から外部装置に出力用ファイルを送信する送信ジョブなどがある。そして、保存ジョブや送信ジョブの実行中に当該ジョブを中断させて載置読取を強制的に行うこともできる。
【０１２４】
また、上記実施形態の構成において、操作パネル４に割り込みボタン（ハードウェアボタン）を設けてもよい。制御部５は、載置読取の実行中、割り込みボタンに対する操作を検知したとき、原稿搬送ユニット１０１の把持部１０１ａに対する把持を検知したときと同様、ユーザーが原稿搬送ユニット１０１を開けようとしていると判断する。そして、このとき、制御部５は、実行中の搬送読取を中断させ、受付画面ＰＳを操作パネル４に表示させる（強制実行指示の受け付けを操作パネル４に行わせる）。
【符号の説明】
【０１２５】
１  画像読取部
４  操作パネル
５  制御部
１００  複合機（画像形成装置）
１０１  原稿搬送ユニット
１０１ａ  把持部
１１１  開閉センサー（角度検知部）
１１２  把持センサー（把持検知部）
１１３  ロック機構
Ｇ１  搬送読取用コンタクトガラス（第１コンタクトガラス）
Ｇ２  載置読取用コンタクトガラス（第２コンタクトガラス）
【図１】
2019087881.tif 000003
【図２】
2019087881.tif 000004
【図３】
2019087881.tif 000005
【図４】
2019087881.tif 000006
【図５】
2019087881.tif 000007
【図６】
2019087881.tif 000008
【図７】
2019087881.tif 000009
【図８】
2019087881.tif 000010
【図９】
2019087881.tif 000011
【図１０】
2019087881.tif 000012